Podtech/llm-jp-corpus-v4-ja_patent huggingface dataset:
(57)【要約】【課題】  本発明は、請求項１で示したナノ水に関し、予防医療の啓蒙促進アイテムとして活用するため。ナノ水の製作方法及び使い方と活用範囲に関する。【解決手段】  本発明は、請求項１で示したナノ水に関し、ナノ水の製作方法及び使い方と活用範囲を示し、及びナノ水を目で視るか又は指先で触りながら、もう一方の手の親指と他のいずれかの指との押圧力を測定、或いはオーリングテストの強弱を測定。ナノ水は、東洋医学の経路と経穴に反応共鳴しますから「未病を治す」と言う予防医学にも敷延で着ると同時に、予防医療啓蒙推進のアイテムとして活用できる特徴がある。【選択図】  図1
2006255489.tif 000002
【特許請求の範囲】
【請求項１】
ナック社のモノトランフィルムを使用したフォーメストリングを使用する。雰囲気は室内又は外気、常温（摂氏０度〜３５度程度）のなかで水道水の水温（摂氏０度〜３５度）の水道水を４リットルの容器に注ぐ。フォーメストリングのポンプを手で上下してエアーメーターを確認しながらエアーをためる。水を溜めた容器の底にフォーメストリングのホースの空気吹き出し口を上にして容器の底に置く。空気吹き出し口より水中に泡が出るように調節して５〜４８時間泡を吹き出し続ける。５〜４８時間経過後の水容器より取り出した液体をナノ水とする。ナノ水の製作方法、使用方法と活用範囲に関する。
【請求項２】
請求項１記載のナノ水１０〜１００ｃｃをカラの霧吹き器（スプレー）のタンクにいれる。霧吹き器よりナノ水を噴射。人間または動物の鼻腔やくちをあけて喉や口の中に噴射。ナノ水を噴射したあと鼻うがい喉うがいをする。ナノ水が鼻腔や喉の表面ついたウイルスや花粉を除菌又は殺菌又は洗い流す。花粉症やかぜの予防、症状改善の手助けをする。ウガイ用。
【請求項３】
請求項１記載のナノ水１００ｃｃ〜４リットルを適量容器に入れる。家庭用の２００〜３００リッターのバスタブに水道水を沸かしたお湯が入っている中にナノ水５０ｃｃ〜２リッターをお湯にいれると風呂から上がった時に湯冷めが少なく保温効果があり温泉水となる。ちなみに水道水２００リッターを４２度に沸かしたお湯のなかにナノ水を２リッターいれた湯舟の中は野沢温泉の湯質似た感触である。お湯を抜いた後のバスタブは、ナノの除菌又は殺菌洗浄効果によりバスタブの湯垢がとれ、嫌なにおいもとれる。入浴材用。
【請求項４】
請求項１記載のナノ水１００ｃｃ〜４リットルを適量容器に入れる。納豆の食べ残しが茶碗の内側表面に付着すると、水道水や中性洗剤で薄めた水道水を食器洗材用スポンジにしみ込ませスポンジで茶碗の内側を４，５回こすってもヌメリはおちにくいが、水道水や中性洗剤で薄めた水道水を食器洗剤用スポンジにしみ込ませさらにナノ水１〜３ｃｃをしみ込ませスポンジで茶碗の内側を１〜２回こするとヌメリはとれる。上記のことより表面についたヌメリのあるよごれや食器についた頑固な油よごれも水道水や中性洗剤で薄めた水道水を食器洗剤用スポンジにしみ込ませさらにナノ水を添加することにより食器洗浄剤として利用できる。食器洗浄用。
【請求項５】
請求項１記載のナノ水１００ｃｃ〜４リットルを適量容器に入れる。牛肉の生ステーキ２００グラムを冷蔵庫で長く保存しておくとパックから出すと、嫌なにおいがする。その生ステーキにナノ水を１〜３ｃｃすり込むと嫌なにおいが数秒間で消える。消臭用。
【請求項６】
請求項１記載のナノ水１００ｃｃ〜４リットルを適量容器に入れる。人の顔の表面のつっぱりを訴えるひとの顔の表面にナノ水１ｃｃ程度を掌に含ませてから顔の表面に塗ると顔のつっぱりの症状が改善される。化粧水として利用できる。
【請求項７】
請求項１記載のナノ水１００ｃｃ〜４リットルを適量容器に入れる。そのなかにプラスチック又はゴムの部品をいれ、ナノ水に十分浸かるようにして５〜２４時間放置する。プラスチック又はゴムの部品をナノ水より抜き取り自然乾燥またはドライヤーで表面の水分を乾燥する。乾燥が終わったプラスチック又はゴムは表面がマイナスイオンを帯びており、静電除去部品、として利用できる。
【請求項８】
陰陽五行説によると色は基本的に白色、黒色、赤色、青色、黄色の５色に分類される。それぞれの色のカード縦横１０cmを色別に５枚作成。それぞれの色のカードを目で視る指先で触って、指押圧力を測定器かピンチゲージで測定して数値を記録又はオーリングテスト実施して強弱を記録。次に上記の５色のカードをナノ水に十分浸かるようにして５〜１０時間放置する。５枚のカードをナノ水より抜き取り自然乾燥又はドライヤー表面の水分を燥する。乾燥が終わった５枚のカードを目で視る指で触って、指押圧力を測定器かピンチゲージで測定して数値を記録又はオーリングテスト実施して強弱を記録。
【発明の詳細な説明】
【技術分野】
【０００１】
本発明は、請求項１で示したナノ水を用いて、予防医療の啓蒙推進アイテムとして活用するため。ナノ水の製作方法及び及び使い方と範囲に関する。
【背景技術】
【０００２】
生活用に使われている上水道はそのまま家庭用に飲料用、料理、洗濯、洗浄、風呂用に使用されている。
【発明の開示】
【発明が解決しようとする課題】
【０００３】
従来の水道水にあっては、生活水に使われているのが主な用途。請求項１で示した微細泡を水中にだしてつくったナノ水が水質改善をはかる。
【課題を解決するための手段】
【０００４】
本発明は、請求項１で示したナノ水を目で視る又は指で触って指押圧力を測定するか、オーリングテストを実施する。
【発明の効果】
【０００５】
本発明は、請求項１で示したナノ水と水道水を目で視る又は指で触って指押圧力を測定するか、オーリングテストを実施し比較する。
【発明を実施するための最良の形態】
【０００６】
発明の実施の形態を実施例にもとずき図面を参照して説明する。図１において、請求項１で示したナノ水は、目で視るかまたは指先で触って指押圧力を測定装置やピンチゲージで測定するか、オーリングテストを実施する。
【図面の簡単な説明】
【０００７】
【図１】請求項１で示したナノ水を霧吹き、スプレーにいれ、鼻うがいをしている様子。
【図１】
2006255489.tif 000003
(57)【要約】      （修正有）【課題】将来の義歯の歯がどのような形状及び色を有するべきであるかに関する決定プロセスをより簡単にするために使用されることができる装置の提供。【解決手段】装置は、それぞれの条片１の遠位端部に取りつけられた人口歯３のフレキシブルな偽の前列を備え、３つの条片１がジョイント２によって結合されて、ファン配列の翼を形成している。歯科医は、個々にそれぞれの条片１を選択し、将来の義歯の位置をまねるようにその条片１を患者の口に配置し、患者と共に美観効果を評価することができる。【選択図】図１
2006255417.tif 000002
【特許請求の範囲】
【請求項１】
偽の前歯列を有する、義歯の美観を評価するための装置において、
実質的に矩形の少なくとも１つのフレキシブルなキャリヤが設けられており、該キャリヤが、実寸の偽の前歯の列又はこのような歯のイメージを支持していることを特徴とする、義歯の美観を評価するための装置。
【請求項２】
フレキシブルなキャリヤが透明である及び／又は歯肉の色に着色されている、請求項１記載の装置。
【請求項３】
歯又は歯イメージが種々異なる歯形状を有しており、それぞれの偽の前歯列が１つの形状のセットを支持しているか又は表している、請求項１記載の複数の装置を含むキット。
【請求項４】
歯形状が三角形、正方形又は楕円形である、請求項３記載のキット。
【請求項５】
それぞれが別個の条片（１）の遠位端部に取り付けられた、人工歯又は歯イメージの複数の偽の前列を有しており、
条片（１）が、ジョイント機構（２）によって遠位端部において互いに結合されており、
ジョイント機構（２）が、条片（１）及び偽の前列（３）と相俟ってファン配列を形成しており、条片及び偽の前列がファンの翼である、請求項１記載の装置。
【請求項６】
人工歯又は歯イメージの形状がそれぞれ異なり、前列歯又はイメージのそれぞれのセットは、異なる歯形状を有する又は表す、請求項５記載の装置。
【請求項７】
歯形状が三角形、正方形又は楕円形である、請求項６記載の装置。
【請求項８】
義歯の美観を評価する方法において、
請求項１又は５記載の装置の偽の前列が、対応する前列歯を欠落した患者の口に配置され、
偽の前列が、将来の義歯の前列を真似るように配置され、
歯のそれぞれの形状の美観の評価が行われる、義歯の美観を評価する方法。
【発明の詳細な説明】
【技術分野】
【０００１】
本発明は義歯の美観を評価するための方法及び装置に関する。
【背景技術】
【０００２】
義歯を計画するプロセスにおいて、患者が全ての上側の前歯を欠落している場合、義歯アーチのサイズは鼻領域における測定によって決定される。これが決定されると、これらのアーチに配置される歯のサイズが計算されることができる。しかしながら、将来の義歯の歯がどのような形状及び色を有するべきであるかに関する決定は、個々の美観に関する考えに基づき、最終的には好みの問題である。
【０００３】
本発明は、患者及び歯科医／歯科技術士両者のためにこの決定プロセスをより簡単にするために使用されることができる装置を提供する。
【０００４】
米国特許第６６２３２７１号明細書は、人工セラミック歯を自然歯に合致させるための装置を提供する。人工歯はパテで歯列弓に一時的に位置決めされる。次いで、歯列弓は患者の口に挿入されることができ、これにより、歯科医及び患者は実生活照光条件下で色を評価することができる。
【特許文献１】米国特許第６６２３２７１号明細書
【発明の開示】
【課題を解決するための手段】
【０００５】
本発明はシステムを提供し、このシステムにおいて、人工歯又は歯のイメージが、実質的に矩形のフレキシブルなキャリヤに、口の前歯部分をまねた既製の予め寸法決めされたセットに提供されているか又は、フレキシブルな歯配列を提供するように歯が結合されている。例えば、歯のイメージはフレキシブルな実質的に矩形のキャリヤに印刷されているか又はその他の形式で転写されている。これらの偽の歯セット又は歯イメージは種々異なる形状を有しており、これにより、患者はそれぞれの歯の美観を調べることができる。概して歯の形状は３つのカテゴリ、すなわち正方形、三角形及び楕円形に分類されるが、その他の形状であることもできる。
【０００６】
犬歯を含む上側の前歯の列の種々異なるモデルは、提供され、患者の歯のない口に配置される。キャリヤ又は歯列の柔軟性により、装置は、患者の自然な歯列弓に従うように配置されることができ、あらゆる隣接する歯の間に容易な嵌合を提供する。その結果、歯又はイメージの極めて自然な外観が得られる。
【０００７】
キャリヤは、透明な材料から形成されることができるか、又は患者の歯肉に似せるように少なくとも部分的に着色されてよい。
【０００８】
好適な実施形態において、本発明は、実質的に矩形の複数のフレキシブルなキャリヤから成るキットを提供し、これらのキャリヤは、実寸で人工の前歯の列又はこのような歯のイメージを支持している。それぞれのフレキシブルなキャリヤに種々異なる歯形状が提供されてよい。
【０００９】
好適な実施形態において、本発明は、義歯の美観を評価するための装置を提供し、この装置は、
人工歯の複数の偽の前側の列を有しており、それぞれの列が別個の条片の遠位端部に取り付けられており、
条片がジョイント機構によって近位端部において結合されており、
ジョイント機構が、条片及び偽前列と相俟ってファン配列を形成しており、偽前列を備えた条片がファンの翼である。
【００１０】
好適には、人工歯又は歯イメージの形状は、前列歯のそれぞれのセットのごとに変化し、三角形、正方形、楕円形又はその他の形状である。
【００１１】
種々異なる寸法の人工歯を備えた複数のファン配列を提供することも可能である。このように、複数のファンが提供されることができ、種々異なる寸法の種々異なる歯形状をカバーする。
【００１２】
本発明はさらに、義歯の美観を評価するための方法に関し、
上述の装置の偽前列は、対応する前列歯が欠落した患者の口に配置され；
偽前列は、将来の義歯の前列を真似るように配置され、
歯のそれぞれの形状の美観の評価が行われる。
【００１３】
本発明の装置の特に好適な実施形態が図１に示されている。
【発明を実施するための最良の形態】
【００１４】
それぞれの条片の遠位端部に取り付けられた人工歯３のフレキシブルな偽の前列を備えた、ジョイント２によって結合された３つの条片１は、ファン配列の翼を形成している。歯科医又は歯科技術士は、個々にそれぞれの条片を選択し、将来の義歯の位置をまねるようにその条片を患者の口に配置し、患者と共に美観効果を評価することができる。条片は、好適には軽くて透明な材料から形成されている。
【図面の簡単な説明】
【００１５】
【図１】図１は、３つの翼を備えたファン配列を備えた装置を示す。
【符号の説明】
【００１６】
１  条片、  ２  ジョイント、  ３  人工歯
【図１】
2006255417.tif 000003
(57)【要約】【課題】    本発明は鼻目マスクに属して目の周りを覆い前方に位置する透明硬質材料から成り周囲の一部、上部分にフイルターを使用し花粉粉塵などを浄化し下部分に案内管を使用し案内管を浄化した空気が通り鼻で息をする事で眼鏡内部が露湿、曇りが出来ない眼鏡マスクである。【解決手段】  本発明は眼鏡マスクで、図４案内管６を使用して鼻で息をする事で眼鏡全体を小さくする事が可能になった眼鏡周囲を合成樹脂又は合成ゴムを使用して密着性の良い眼鏡周囲を製作して一部に開口部を設けフイルターを使用、下部分に柔らかい管を使用して案内管を通して深呼吸をするようにして息をするマスク、花粉,防塵、農薬散布、などに使用できる眼鏡マスクである。【選択図】  図1
2006255044.tif 000002
【特許請求の範囲】
【請求項１】
図1姿図、周囲2の一部に開口部フィルター１を取り付け眼の前方に位置する透明硬質材料から成る眼鏡部分４と案内管６を使用し空気が通る鼻栓先７に鼻栓８を取り付け鼻穴に差込み息をする開口部フイルター１で浄化した空気が眼鏡内部４を空気が通り鼻穴に吸い込まれるこのため、眼鏡部分４が露湿し曇らない眼鏡マスク。
【請求項２】
つまみネジ３を設けてある拡大鏡とかフイルターカプセルなどを取り付けが出来る眼鏡マスク。
【請求項３】
図4の吸引口５は、差込部分案内管６合成ゴム鼻栓先7一部合成樹脂であり図3の鼻栓8を鼻栓先7に取り付け鼻穴に入れ使用する鼻栓8は合成樹脂、差込式で有り取り外して交換が出来る又、図2周囲外枠下に吸引口5と図4の継続部分5で案内管6を取り外しが出来ることで洗浄が出来るのである。
【請求項４】
図5で見るジョイントボックス11を眼鏡上に取り付け図6で示すフイルターを入れる容器であるこれをツマミネジ3の箇所にとりつけ使用できる、ジョイント継ぎ口11とフイルターカプセル12を取り付けする事で高性能なフイルターが使用できる又、ジョイントボックス11継ぎ口に空気ボンベを取り付け使用することも可能である。
【発明の詳細な説明】
【技術分野】
【０００１】
本発明は図1に示す姿図、眼鏡の周囲部分ゴーグルに似通った作りであるが形はいろいろ変化させることが出来るゴーグルと違は顔に接する部分、周囲2密着性の良い素材を使用してフイルター1を使用して案内管6を空気が通り鼻から息をすることである目を保護してマスクとして使用できる案内管6を使用したことで眼鏡の形がいろいろと変化させることが容易に出来るのである。
【背景技術】
【０００２】
従来のマスクは鼻と口にカブサリ、フイルタボックスが鼻の上部分に付き前が見えにくい口と鼻をふさいでいる為に弁が必要であり声を出すことが出来ない又、目を保護するマスクは無い、この点眼鏡マスクは目を保護して鼻で息をする為眼鏡内部が曇ることも無く空気の浄化は良い声が出せる前も良く見えるように考案した眼鏡マスク。
【特許文献１】特開2003−169821
【０００３】
従来よく似た形でゴーグルがある、これはマスクではない目を覆い形は良く似ているが目の保護だけみたいである、眼鏡マスクの違いは鼻で息をすることでフイルターを越し眼鏡内部に空気が通り案内管6を通して鼻で息をするこうする事で目を保護してきれいな空気が通る為、眼鏡内部が曇らない鼻で息を深呼吸する要領でするこの為マスクともなるのである。
【発明の開示】
【発明が解決しようとする課題】
【０００４】
本発明は花粉とか防塵マスク農薬散布に使用することであるが、眼鏡マスクを考案したのは最近スギ花粉で悩んでいる人が多い事である、それとビル火災地下街の火災で煙を吸い込み死亡する人が多いようである小さくもっと性能の良いマスクと思い考え出されたのである，肺の悪い人が酸素鼻で吸っているように図4、案内管6を使用する事で眼鏡部分を小さく出来る又。形もいろいろと形成出来ることである。
【課題を解決するための手段】
【０００５】
図1、眼鏡マスク絵で見るように周囲外枠2部分は合成ゴム又は合成樹脂などで顔に密着性の良い素材にして上部に開口部を開けここに防塵フイルター装着して眼を浮遊紛塵から保護できるのである。又、図5のジョイントボックス11を装着し図6のフイルターカプセル12に高性能なフイルターを入れジョイントボックス11部分に継続することで雨天、雨水を防ぐことが出来るフイルターも高性能な物を使用する事が出来る。
【発明の効果】
【０００６】
図1姿図の様に装着して使用するゴムベルト9頭部後ろマジックテープ（登録商標）で止める案内管の先に鼻栓を付け鼻穴に差し込む息を吸い込むとフイルターで浄化した空気が眼鏡内部を入る案内管を通り鼻で息をする事で眼鏡内部が曇らない深呼吸をするように行う心も落ち着く声も出せる又、逆流して眼鏡内部が曇っても息を鼻で吸い込めば直ぐに解消される快適である。
【発明を実施するための最良の形態】
【０００７】
図1姿図で見る絵図は花粉粉塵であればこのような簡単な装備で使用できる眼鏡部分ももっと小さくする事も可能である。
【０００８】
図5斜視図ジョイントボックス11に図6フイルターカプセル12を継続すれば煙又は臭い電気溶接の時に出るガスなど排除することが出来る又、農薬散布を行う時など有効に発揮できるのである。
ジョイントボックス11継ぎ口10に空気ボンベを使用すれば地下街の火災などに有効であり声が出せる煙の中での作業にも使用できる。又火山ガスなんかであれば空気ボンベを使用する事で目を保護している為、効果的であり眼鏡部が軽い事で使用するのが容易にきる。又ツマミネジ3の箇所には拡大鏡を取り付けも出来るフイルターカプセル１２取り付けが出来るのである。
【図面の簡単な説明】
【０００９】
【図１】眼鏡マスク姿図
【図２】眼鏡マスク裏斜視図
【図３】鼻栓
【図４】案内管
【図５】眼鏡マスク斜視図
【図６】フイルターカプセル
【符号の説明】
【００１０】
1    開口部フイルター
2    周囲外枠
3    ツマミネジ
4    眼鏡透明
5    吸引口継ぎ口
6    案内管
7    鼻栓先
8    鼻栓
9    ゴムバンド
10    ジョイント継ぎ口
11    ジョイントボックス
12    フイルターカプセル
13    引っ掛け腕
【図１】
2006255044.tif 000003
【図２】
2006255044.tif 000004
【図３】
2006255044.tif 000005
【図４】
2006255044.tif 000006
【図５】
2006255044.tif 000007
【図６】
2006255044.tif 000008
(57)【要約】      （修正有）【課題】複雑な歯の形状でも効果的に歯垢等を除去することのできる歯ブラシを提供する。【解決手段】本歯ブラシは植毛台部１、接続部２、柄部３から構成し接続部２付近を支点として柄部を植毛台の裏面側に１０度から４５度の範囲で湾曲させた形状であり、接続部２で植毛台１が回転できる構造とし、１８０度回転するごとに内側専用、外側専用歯ブラシと機能させることにより効果的に歯垢等を除去する歯ブラシ。また、接続部２の構造は凸部側に十文字溝Cを設け、凹部に挿入しやすい構造であり、凸部挿入後凸部先端部Aが軸部Bより大きくしてあり、凹部Eに密着することで脱着が不可能な構造である。尚、凹側部の構造は１８０度回転するごとにストッパー部Fにより固定されることにより歯の内側及び外側の専用歯ブラシにと設定が可能となる。【選択図】図２
2006255221.tif 000002
【特許請求の範囲】
【請求項１】
植毛台部から１０mmから４０mm柄部側に離れた位置までを直線としてその１０mmから４０mmの間に支点を求めて柄部を植毛台部の裏面側に１０度から４５度の曲がりを設け曲線ラインを形成している歯ブラシ。
【請求項２】
植毛台部と接続部及び柄部で構成し、植毛台は、柄部側に一度接続すると脱着不可能な構造であり、接続部の凸側挿入構造として十文字の溝部を設け、十文字の溝部の長さは先端部の長さの２倍以内とすることにより挿入を可能とする。また、十文字の溝部は植毛台部を回転させるとき働く凸部先端部にかかる、ねじれモーメントを分散させ耐久性を向上させる働きを持つ。尚、凹側部の構造として１８０度回転して止まるようにストッパー機能を上下又は左右の２ヶ所に設け、さらに、凸側部先端部が連続的な回転運動により弾性劣化を防止するために凹側部の突き当たりに凸側部の十文字溝部内側に接するような突起形状を備えている。この突起状の形状は円錐形や六角錐形、四角錐形など錐形状を有している。上記構造を特徴とする歯ブラシ。
【発明の詳細な説明】
【技術分野】
【０００１】
本発明は、歯の内側及び外側の歯ブラシのブラッシング効果を高め効率良く歯垢の除去をすることのできる歯ブラシに関するものである。
【背景技術】
【０００２】
柄に角度の付いた歯ブラシのブラシの柄に近い部分が回転するようにし、ブラシ部が分離する歯ブラシ。（特許文献１参照）があるが、本発明は凸部十文字溝部を設けて脱着不可能な構造とし、なおかつ１８０度回転するごとに正確に植毛台が止まるようにストッパー機能を設けてあることを特徴とする。
【特許文献１】実用新案出願公開昭６１−９０４２０
【発明の開示】
【発明が解決しようとする課題】
【０００３】
一般的な歯ブラシでブラッシングしてもプラークの除去が困難であり歯周病等の進行の要因となっている。その基本的な原因は歯の内側及び外側の複雑な形状に起因する。よって複雑な歯の形状に柔軟に対応しより効果的に歯垢の除去が出来る歯ブラシが求められる。
本歯ブラシは歯磨き時に上記問題点を歯の内側及び外側の複雑な形状に沿って効果的ブラッシングが出来、刷掃効率を向上させることのできる歯ブラシを提供する。
【課題を解決するための手段】
【０００４】
植毛台部１から接続部２付近を支点にして、柄部３が植毛台部１の裏面側に１０度から４５度の折れ曲がりを設け、接続部２に植毛台部１が回転できる構造を備え、１８０度回転するごとに内側専用歯ブラシ及び外側専用歯ブラシへと機能を変える構造を設け、安定したブラッシング効果で歯垢の除去を可能にする歯ブラシ。
また、接続部２の構造は凸部側に十文字溝部Cを設け、凹部側に挿入しやすい構造であり、また、凸部挿入後凸部先端部Aが軸部Bより大きくしてあり、凹部Eに密着することで脱着が不可能な構造とする。
凹側部の構造は１８０度回転するごとにストッパー部Fにより固定することにより歯の内側及び外側の専用歯ブラシにと設定が可能となる。
【発明の効果】
【０００５】
本発明の歯ブラシを使用することにより、従来の歯ブラシの問題点である磨き残しによる歯垢等の蓄積を排除し歯及び歯茎の歯垢を効率良く除去し口腔を常に清潔に保ち歯周病等の予防に効果がある。
【発明を実施するための最良の形態】
【０００６】
歯ブラシの材質を樹脂等の素材とし、金型を作成することにより実現した。
【実施例１】
【０００７】
図１は、本発明の基本的形状であり特に歯の内側が磨きやすい形状である。
【実施例２】
【０００８】
図３は、本発明の植毛台部１と柄部３を接続する接続部２の位置を示し、植毛台部が１８０度回転する構造であり、回転することにより歯の内側専用又は、外側専用歯ブラシとして歯垢等の除去に効果を表す構造である。
【産業上の利用可能性】
【０００９】
高齢化社会における医療費の負担は、増加の一途をたどり歯科医療費も例外でなく、歯周病等の予防効果により、更なる業界全体の発展になる。
【図面の簡単な説明】
【００１０】
【図１】歯ブラシの植毛台部と柄部の角度を表した説明図である。
【図２】歯ブラシの植毛台部と柄部を接続部する位置の説明図である。
【図３】歯ブラシの植毛台と柄部を接続している接続部の説明図である。
【図４】歯ブラシの凸側部を展開した説明図である。
【図５】歯ブラシの凹側部を展開した説明図である。
【符号の説明】
【００１１】
１植毛台
２接続部
３柄部
４ブラシ部
Ａ先端部
Ｂ回転軸
Ｃ十文字溝部
Ｄ軸受け部
Ｅ先端受け部
Ｆストッパー
Ｇ十文字溝受け軸
Ｈ植毛台と柄部の角度
【図１】
2006255221.tif 000003
【図２】
2006255221.tif 000004
【図３】
2006255221.tif 000005
【図４】
2006255221.tif 000006
【図５】
2006255221.tif 000007
(57)【要約】【課題】  従来の衣服カバーは、覆った衣服のハンガーからの掛け外しや、中の衣服のデザインや材質、色やサイズを確認する場合、至極手間が掛かり不便であるという問題があった。これは、衣服カバーで衣服全体を覆うためである。【解決手段】  本発明は、上記目的を達成するために、ハンガーに吊るした衣服の、主に襟部分と肩部分を覆うことができる衣服カバーであって、中央上部にはハンガーフック部分を外に突出できる開口部を有し、衣服を覆うための凹みを中央部、及び左右両側翼片部に設けたものである。【選択図】図３
2006255245.tif 000002
【特許請求の範囲】
【請求項１】
ハンガーに吊るした衣服の、主に襟部分と肩部分を覆うことができる衣服カバ  ーであって、中央上部にはハンガーフック部分を外に突出できる開口部を有し、衣服を覆うための凹部を中央部及び左右両側翼片部に設けたことを特徴とする衣服カバー。
【発明の詳細な説明】
【技術分野】
【０００１】
本発明は、ハンガーに吊るされた衣服を覆う衣服カバーに関する。
【背景技術】
【０００２】
従来の衣服カバーはハンガーに吊した衣服全体を覆うことができるようにビニール等の薄い素材で形成されており、下部を解放（または閉鎖）形成すると共に、上部にハンガーのフック部を外に突出できる開口部を形成してあり、片側又は両側又は片面の中央に衣服出し入れ用のファスナーが設けてある。
【特許文献１】特開２００２−２０９７０８号  公報
【発明の開示】
【発明が解決しようとする課題】
【０００３】
日常的に使用する衣服を家屋内でハンガーに吊るした状態や、衣類販売店で販売のためにハンガーに吊るした展示状態にあっても、衣服には、埃が付着し常時蛍光灯や日光にさらされる。衣服を長持ちさせたり、傷みによる商品ロスを減少させるためには、埃や直射光から常時保護する必要が生じるが、前記状態の衣服類はハンガーからの掛け外しが頻繁であるため、従来の衣服カバーで衣服全体を覆ってしまっては、掛け外しに手間がかかるため、使用は不便であった。
【０００４】
さらに衣服カバーで覆われた中の衣服のデザインや材質、色やサイズを確認しようとした場合、従来の衣服カバーでは出し入れ用のファスナーを開けるか、下部開口部から捲り上げるしか方法が無く、個人の衣服でさえ確認に至極不便であり、ましてや衣料販売店に展示販売されている衣服への使用は、現実的には不可能であった。
【０００５】
本発明は、前記に示された問題を解決しようとするものであり、衣服カバーで覆われた衣服の掛け外しを容易にし、デザインや材質、色やサイズも容易に確認できる衣服カバーを提供することを目的とする。
【課題を解決するための手段】
【０００６】
本発明は、上記目的を達成するために、ハンガーに吊るした衣服の、主に襟部分と肩部分を覆うことができる衣服カバーであって、中央上部にはハンガーフック部分を外に突出できる開口部を有し、衣服を覆うための凹みを中央部、及び左右両側翼片部に設けたものである。
【０００７】
上記の解決手段による作用は次の通りである。本発明は、覆い保護する衣服の部位が主に襟部分と肩部分に限られる。すなわち、衣服を覆う範囲を従来の衣服カバーに比べ狭めたことにより、装着時においても衣服のハンガーへの掛け外しを容易にし、デザインや材質、色やサイズが容易に確認できるようになった。
【発明の効果】
【０００８】
上述したように、本発明の衣服カバーは装着時においても衣服のハンガーへの掛け外しを容易にし、デザインや材質、色やサイズが容易に確認できるため日常に使用する衣服や衣料販売店で展示販売する衣服にも、常時使用する事ができる。
【発明を実施するための最良の形態】
【０００９】
以下、本発明の実施の形態を実施例となる図１〜図２に基づいて説明する。
【００１０】
図1は本発明に係る一実施例の衣服カバーを示す図であって、この衣服カバー１は、衣服カバー本体２と、開口部３と、下部開口４によって構成されている。
【００１１】
より具体的に説明すると、衣服カバー本体２は、ハンガーに吊された背広の上着やコート等の衣類Ｃの襟上部と肩部分を覆える位の大きさに、熱硬化性合成樹脂類又は熱可塑性合成樹脂類又は紙類又は金属類又は木類又は布類又は皮革類又はそれらを組み合わせたもので形成されており、衣服を覆うための凹部５を中央部及び左右両側翼片部に設けてある。中央上部にはハンガーＡのフック部Ｂを外に突出できる位の大きさの開口部３と、下部開口４を有したものである。
【００１２】
さらに、開口部３には中央部を開口し平面左右を塞ぐように設けた、ハンガーＡのフック部Ｂの透過に支障とならない薄く柔らかく弾力性を持つ素材によって埃や直射光の進入を防ぐためのガード６を形成してもよく、その形状は板状であってもブラシ状であっても、ハンガーＡのフック部Ｂの透過に支障とならず、埃や直射光の進入を防げれば如何なるものであってもよい。
【００１３】
図２は、衣服Ｃを吊るしたハンガーＡのフック部Ｂを、図1に示す衣服カバ  ー１の開口部３から外に突出し、衣服カバー１で衣服Ｃを覆うことで得られた、本発明の衣服カバーの使用例を示す斜視図である。
【００１４】
ハンガーＡへの衣服Ｃの掛け外しは、本発明の衣服カバー１をハンガーＡのフック部Ｂ方向へ押し上げれば、容易に行える。
【００１５】
ハンガーＡに衣服Ｃを吊るした状態において、本発明衣服カバー１で衣服Ｃを覆っても、襟の一部分と肩部分を除き衣服の大部分は視認できるため、デザインや材質、色やサイズの確認が容易にできる。
【図面の簡単な説明】
【００１６】
【図１】本発明に係る一例の衣服カバーの斜視図である。
【図２】本発明に係る一例の衣服カバーの断面図である。
【図３】本発明に係る一例の衣服カバーの使用例を示す斜視図である。
【符号の説明】
【００１７】
１  衣服カバー
２  衣服カバー本体
３  開口部
４  下部開口
５  凹部
６  ガード
【図１】
2006255245.tif 000003
【図２】
2006255245.tif 000004
【図３】
2006255245.tif 000005
(57)【要約】【課題】肌着を紙オムツに接合させることで、肌着のめくれと紙オムツのずれ落ちの両方とも解決でき、使用後は処理テープ機能を有する粘着テープを施したパンツ型紙オムツを提供する。【解決手段】本発明は、粘着テープ２を図１に示すように紙オムツの両脇後身頃側１に設置し図３で示されるBを引き下ろして現れる粘着面３に肌着を接合させる。両脇で肌着と紙オムツが接合することで赤ちゃんの動きやお腹に負担がかからない利点があり、手早く紙オムツのずれ落ちと肌着のめくれを防止できる。また図４で示されるCを図７のように引き下ろして図８で示されるように使用後の処理テープとして併用する。【選択図】図１
2006255214.tif 000002
【特許請求の範囲】
【請求項１】
紙オムツの両脇後身頃側に粘着テープを設置し、肌着を紙オムツの両脇で接合することにより赤ちゃんの動きやお腹に負担をかけずに、肌着のめくれ及び紙オムツのずれ落ちを防止することを特徴としたパンツ型紙オムツ。
【請求項２】
粘着テープは使用後の処理テープ機能を有することを特徴とする請求項１記載のパンツ型紙オムツ。
【発明の詳細な説明】
【技術分野】
【０００１】
本発明は、肌着と紙オムツの接合で、肌着のめくれ及び紙オムツのずれ落ちを防止するパンツ型紙オムツに関するものである。
【背景技術】
【０００２】
従来のパンツ型紙オムツには腰部にタックやギャザーを施したものがある。排泄物の漏れ防止の効果は十分であるが、紙オムツのずれ落ち防止には不十分である。
【０００３】
しかしながら、赤ちゃんが元気に動きまわったり遊んだりする月齢になると、赤ちゃんのくびれのない腰部の体型上、また、オムツ替えまでに排尿された尿の重みでどうしても紙オムツのずれ落ちが起き、肌着もめくれ、お腹が冷えたり見栄えが悪くなる。従来の紙オムツでは排泄物の漏れ防止には十分であるが、紙オムツのずれ落ち防止としては不十分であり現在それを解決するパンツ型紙オムツはない。
【特許文献１】実開平５−３９５３１号公開
【発明の開示】
【発明が解決しようとする課題】
【０００４】
解決しようとする課題は、赤ちゃんの立場になって、赤ちゃんの動きやお腹に負担をかけずに手早く肌着のめくれ及び紙オムツのずれ落ちを防止することにある。
【課題を解決するための手段】
【０００５】
本発明は、オムツ替えの時に、赤ちゃんの動きに負担をかけず手早く肌着を紙オムツに接合できるよう、紙オムツの両脇後身頃側１に粘着テープ２を設置した。肌着と接合することで紙オムツのずれ落ちが防止でき、さらに肌着のめくれも防止できる。この粘着テープは肌着のめくれ及び紙オムツのずれ落ち防止だけでなく、使用後の処理テープの機能を有することを特徴とする。
【発明の効果】
【０００６】
本発明の粘着テープ２は、紙オムツの両脇後身頃側１に付けることにより、図５のようにＢを引き下ろし、図６に示されるように軽く両脇に肌着を押し当て手早く肌着を紙オムツに接合できる。両脇で接合することにより、赤ちゃんの動きやお腹に負担がかからない利点がある。また、粘着テープ２は図４のＣを引き下ろし図７の粘着面４を使って図８で示すように使用後の処理テープとして併用できる。
【発明を実施するための最良の形態】
【０００７】
本発明のパンツ型紙オムツは、図１に示されるように粘着テープ２を両脇後身頃側１に設置する。図３で示されるように、肌着を整える方向と同じ方向、Ｂを上から下へ引き下ろすように設置する。同じ方向に設置することで、肌着の接合が手早くスムーズにできる。粘着テープ２は図２で示すように肌着と紙オムツを接合する粘着面３と処理テープとしての粘着面４を施したものである。
【実施例１】
【０００８】
オムツ替えのとき、図３で示すBを図５のように引き下ろし現れる粘着面３に肌着を接合し、肌着のめくれと紙オムツのずれ落ちを防止する。
【０００９】
使用後は、図４で示すCを図７のように引き下ろし現れる粘着面４を、処理テープの接合部とするものである。
【図面の簡単な説明】
【００１０】
【図１】両脇後身頃に粘着テープを付けた概観図である。
【図２】粘着テープを下方に全て引き出したときの概観図である。
【図３】紙オムツに付けた粘着テープの断面図である。
【図４】Ｂを引き下ろし肌着との接合粘着面３が現れた状態の断面図である。
【図５】Ｂを引き下ろしている概観図である。
【図６】肌着を粘着面３に接合している概観図である。
【図７】Ｃを引き下ろして処理テープとなる粘着面４が現れた状態の断面図である。
【図８】使用後の紙オムツを処理テープで丸めとめた概観図である。
【符号の説明】
【００１１】
１    紙オムツ後身頃
２    粘着テープ
３    肌着との接合部である粘着面
４    使用後の処理テープとする粘着面
Ａ    紙オムツに接着された固定部  
Ｂ    肌着との接合粘着面引き出し口
Ｃ    処理テープの粘着面引き出し口
【図１】
2006255214.tif 000003
【図２】
2006255214.tif 000004
【図３】
2006255214.tif 000005
【図４】
2006255214.tif 000006
【図５】
2006255214.tif 000007
【図６】
2006255214.tif 000008
【図７】
2006255214.tif 000009
【図８】
2006255214.tif 000010
(57)【要約】【課題】  不快な暑苦しさを簡便に安値にて和らげる冷却具であって足首に装着して外出中に又は、外出先で簡単に涼感を得るための冷却具を提供する。【解決手段】  上部に開口部を有する布製の収納部を設けたベルトの両端に面ファスナーそれぞれ雄片・雌片を取りつける。ベルトの開口部から収納部に板状の冷却剤を収納自在とし、本体を足首に巻いて涼感を与える。以上を特徴とする足首冷却具。【選択図】  図１
2006255347.tif 000002
【特許請求の範囲】
【請求項１】
上部に開口部を有する布製の収納部を設けたベルトの両端に、面ファスナーそれぞれ雄片・雌片を取り付け、開口部から板状の冷却剤を収納自在とし、本体を足首に巻いて涼しさを感じさせる足首冷却具。
【発明の詳細な説明】
【技術分野】
【０００１】  本発明は、気温が高く暑苦しい不快なときに、簡便に涼しさを感じさせる足首冷却ベルトに関するものである。
【背景技術】
【０００２】  従来、暑い日にはエアコン・扇風機・扇子等、または冷たい水を含ませたタオルで汗を拭いたり、水の中に足を浸したりして涼をとっていた。
【発明の開示】
【発明が解決しようとする課題】
【０００３】  そのために、次のような問題点があった。
通常社会人としては夏でもスーツの着用等余儀なくされ、外出時には冷たいタオルで流れる汗を拭く事もままならず、まして水の中に足を浸して涼をとる事など不可能であり、着衣も汗まみれで不快この上ない状況である。
【課題を解決するための手段】
【０００４】  上部に開口部を有する布製の収納部を設けたベルトの両端に面ファスナーそれぞれ雄片・雌片を取りつける。ベルトの開口部から収納部に板状の冷却剤を収納自在とし、本体を足首に巻いて涼感を与える。以上を特徴とする足首冷却具。
【発明の効果】
【０００５】  本発明は、足元を冷却する事で体感温度を下げ、不快な暑苦しさを和らげる。特に何の効果的な冷却具を持たない外出時には簡便・有益な冷却具である。
【発明を実施するための最良の形態】
【０００６】  以下、本発明の実施の形態を説明する。
（イ）  伸縮性のある袋状布製のベルト（１）の上部に開口部（３）を設け、収納部（２）を設ける。
（ロ）  ベルト（１）の両端に面ファスナー雄片（５）と雌片（６）を各々設け、ベルト（１）が輪状に形成されて足首に装着できる様に取りつける。
（ハ）  収納部（２）にゲル状保冷剤等の板状冷却剤（４）を収納させる。
本発明は以上の構成よりなっている。
本発明を使用するときは、ベルト（１）の収納部（２）に冷却した冷却剤（４）を入れて両足首に巻き、面ファスナー雄（５）と面ファスナー雌（６）とを足首に合った位置に装着し固定する。
【図面の簡単な説明】
【０００７】
【図１】本発明の斜視図
【図２】本発明の断面図
【図３】本発明の使用状態を示す斜視図
【符号の説明】
【０００８】１  ベルト
２  収納部
３  開口部
４  冷却剤
５  面ファスナー雄片
６  面ファスナー雌片
【図１】
2006255347.tif 000003
【図２】
2006255347.tif 000004
【図３】
2006255347.tif 000005
(57)【要約】      （修正有）【課題】本発明は、幅広いヘアスタイルに対応出来、短時間で簡単に髪にカ−ルを作ったり、髪をストレートにするヘアアイロンを提供する。【解決手段】ヘアアイロンの形を、幅広い方が馴染みが深く、使い勝手の良い、平型のヘアブラシと同様の形にする。その際、くし１の列とくしの列の間に加熱板２を設ける。【選択図】図１
2006255349.tif 000002
【特許請求の範囲】
【請求項１】
片方のみくしが付いている平型のヘアブラシと同じ形をしており、くしの列とくしの列の間に加熱板が設けられているヘアアイロン。
【発明の詳細な説明】
【技術分野】
【０００１】    本発明は、髪をカ−ルさせたり、ストレ−トにするヘアアイロンに関するものである。〔背景技術〕【０００２】    従来、ヘアアイロンは、髪をカ−ルするために、もしくはストレ−トにする為に使用されている。〔発明の開示〕〔発明が解決しようとする課題〕【０００３】    従来のヘアアイロンは、カ−ルアイロンの場合、筒状になっており、髪に巻き付けてカ−ルを作る。ストレートアイロンの場合、平型のアイロンを２枚てこの原理で髪に挟み髪質等によりくせがある髪を真っ直ぐにする。    ヘアアイロンを使用する際、ヘアアイロンの太さ、大きさ、使い勝手等により、髪の長い方及び、手先の器用な方、セットをする時間を確保する事ができる方が主に使用する事が多く、ショ−トヘアの方、手先が不器用な方、時間を確保する事が出来ない方はなかなか使用出来ない。  本発明は、以上の問題点を解決し、幅広い方が使用しやすいヘアアイロンになされたもである。〔課題を解決するための手段〕【０００４】    今現在、男女を問わず、幅広い年齢層の方は髪を整えるのに、片方にのみくしが付いている平型のヘアブラシを使用している事が多い。    本発明は、ヘアアイロンを幅広い方が馴染みの深いヘアブラシと同様の形にし、くしの列とくしの列の間に加熱板を設ける。〔発明の効果〕【０００５】    本発明を使用するにあたり、今まで普通に行っていた、髪をとくという行動により、髪にカールを作ったり、髪を真っ直ぐにすることが出来る。〔発明を実施するための最良の形態〕【０００６】    以下、本発明の実施の形態を説明する。    （イ）形を片方のみくしの付いた平型のヘアブラシ型にする。    （ロ）くし列とくしの列の間に、加熱板を設ける。    （ハ）コ−ドは、持ち手の裏から出す。    本発明は以上の構成よりなる。    本発明を使用する場合は、髪にあて下に降ろすようにとくと髪をストレ−トにし、毛先を回転させながらとくと、髪にカールを作ることが出来る。
【図面の簡単な説明】
【０００７】
【図１】本発明の正面図
【図２】本発明の横から見た図
【符号の説明】
【０００８】（１）くし、（２）加熱板、（３）コ−ド
【図１】
2006255349.tif 000003
【図２】
2006255349.tif 000004
(57)【要約】【課題】  一般的なハンガーに丸首衿のセーター、トレーナー、朋着等を掛ける時に丸首の部分を伸してしまい形くずれし、また、取り付け、取り外しがやっかいであった事を解決すること。【解決の手段】  折り曲ったヒロハンガーを丸首の部分より差し込んで左右に広げるとストッパー軸４がストッパーガイド５によって、ストッパー溝６に落ち込み、折り曲がりを防止できるので、丸首衿のセーター、トレーナー、肌着等が簡単に掛けられる。また、取り外す場合はストッパー軸４を上に押し上げることによってロックが解除され、折り曲げられるので簡単に取り外しができるヒロハンガー。〔図２〕などにより、この課題を解決する。【選択図】  図２
2006255348.tif 000002
【特許請求の範囲】
【請求項１】
ハンガーの中心より二つに折り曲げられる事を特徴とするヒロハンガー。
【請求項２】
折り曲げられたハンガーが開いた時にストッパー軸により固定できることを特徴とするヒロハンガー。
【発明の詳細な説明】
【技術分野】
【０００１】  本発明は、ハンガーに関するものであり、ハンガーの中心より二つに折り曲がる形状に工夫を加える事によって、丸首衿のセーター、トレーナー、肌着等が簡単に掛けられるようにしたものである。
【背景技術】
【０００２】  従来から、一般的なハンガーが利用されている。
【発明の開示】
【発明が解決しようとする課題】
【０００３】  しかし、従来のような形状のハンガーでは、丸首衿のセーター、トレーナー、肌着等をハンガーに掛ける場合、丸首衿の部分を伸してしまったり、取り付けが面倒であった。本発明は、従来のようなハンガーでは、丸首衿のセーター、トレーナー、肌着等の丸首衿の部分を伸してしまったり、取り付けが面倒であった。これらを解決することを課題とする。【０００４】  この課題を解決するための請求項１の発明は、ハンガーの中心より折れ曲げられる事を特徴とする、ヒロハンガーである。丸首衿のセーター、トレーナー、肌着等の丸首の部分より入れて広げると従来のようなハンガーとして使用できる。【０００５】  また、請求項２の発明は、開いたハンガーが折れ曲がらないようにストッパー軸４によって固定され、折り曲りを防止できる。
【発明の効果】
【０００６】    本発明により、丸首衿のセーター、トレーナー、肌着等が簡単に掛けられ、丸首衿の部分を伸すことなく、取り付け、取り外しが便利である。
【発明を実施するための最良の形態】
【０００７】  図１は、支軸３を中心として折れ曲がることを特徴とする、取り付け、取り外しが便利なヒロハンガーの正面図と断面図ある。【０００８】  図２は、支軸３を中心として折れ曲がることを特徴とする、広げた時にストッパー溝６にストッパー軸４が落ち込んで折れ曲がりを防止した状態の完成図である。
【産業上の利用可能性】
【０００９】  本発明に係るヒロハンガーは、工業的に量産する事が可能であるため、産業上の利用可能性を有する。
【図面の簡単な説明】
【００１０】
【図１】主軸３を中心として折りたたんだヒロハンガーの正面図と断面図である。
【図２】主軸３を中心としてヒロハンガーの開いた状態を示し、ストッパー溝６にストッパー軸４によって固定された完成図である。
【符号の説明】
【００１１】１  肩Ａ
２  肩Ｂ
３  主軸
４  ストッパー軸
５  ストッパーガイド
６  ストッパー溝
７  フック
【図１】
2006255348.tif 000003
【図２】
2006255348.tif 000004
(57)【要約】      （修正有）【課題】清涼飲料水等に使われているペットボトル容器を哺乳器として使えるようにするための乳首を提供する。【解決手段】ゴム乳首２をペットボトルにとりつけるキャップ１内側のねじの溝の径の大きさや巻き数をペットボトル注ぎ口５の部分と合致するサイズにすることによりペットボトルを哺乳器として使えるようにする。ペットボトル容器３の注ぎ口にとりつけることで、そのまま哺乳器として使用できる。【選択図】    図２
2006255346.tif 000002
【特許請求の範囲】
【請求項１】
一般的に清涼飲料水等で使われているペットボトル容器を哺乳器として使用できるようにした乳首。
そのためにペットボトル容器とゴム乳首をつなぐキャップの内側のねじ部分をペットボトルの注ぎ口部分と合致するサイズにすることにより本発明をペットボトル容器にとりつけて、そのまま乳幼児に飲み物を与えることができるようにしたこと。
【発明の詳細な説明】
【技術分野】
【０００１】本発明は一般的に清涼飲料水等に使われているペットボトル容器の注ぎ口に装着し、哺乳器として使用できるようにするための乳首です。
［背景技術］【０００２】従来の哺乳器にとりつけられるゴム乳首は各メーカーごとのびんに合うように作られているため、ペットボトルなど他の容器に装着して使用できるものがなかった。
［発明の開示］
［発明が解決しようとする課題］【０００３】今までの哺乳器の乳首部分は、同一メーカー製の哺乳器のびん等としか合致せず、一対でしか使いようがなかった。本発明はこの課題を解消するためになされたものです。
［課題を解決するための手段］【０００４】キャップ１の内側のねじ部分（めねじ）の径の大きさ、巻き数を清涼飲料水等に使われているペットボトル容器３のペットボトル注ぎ口５のねじ部分（おねじ）の径の大きさ、巻き数と合致するサイズにすることによりとりつけて使用できるようにした。
［発明の効果］【０００５】ペットボトル容器３の注ぎ口５にとりつけることができることで、そのまま哺乳器として乳幼児に飲み物を与えることができる。そのため本発明品を持ち歩いていれば外出先で哺乳器が必要となったときコンビニ等でペットボトル飲料を入手できれば哺乳器として使える。
また、哺乳器として使い終えたペットボトルの容器部分はゴミ（リサイクル資源）として出せばいいので従来の哺乳器びんのようにそのつど洗浄、殺菌する作業の手間が軽減する。したがって災害時等のような哺乳器を洗浄するための清潔な水が十分確保できないような場合でも飲料水等が入ったペットボトル容器を使い捨ての哺乳器用のびんとして使えるので便利。
以下、本発明の実施の形態について説明する。
ゴム乳首２をキャップ１のキャップ内部孔６に吸い穴４の方から先端部が突き出るよに通す。
［実施例１］【０００６】フタを外したペットボトルの注ぎ口５にゴム乳首２を通したキャップ１をしめてとりつけ使用する。
【図面の簡単な説明】
【０００７】［図１］
本発明の正面図です。
［図２］
本発明の使用状態を示す断面図です。
［図３］
本発明を組み合わせる前の状態の正面図です。
【符号の説明】
【０００８】１    キャップ
２    ゴム乳首
３    ペットボトル容器
４    吸い穴
５    ペットボトル注ぎ口
６    キャップ内部孔
【図１】
2006255346.tif 000003
【図２】
2006255346.tif 000004
【図３】
2006255346.tif 000005
(57)【要約】【課題】従来のフライパンの底部板にプレス型で１〜４個の凹部設け、形の同じ目玉焼きが１〜４個同時に焼きあがるフライパンを提供する。【解決手段】  フライパンを設け、そのフフライパン底部板に丸型、四角型等の各種形状の凹部を形成する、フライパンには１〜４個の凹部を設け、各種形状の目玉焼きが一度に１〜４個同時に焼きあがることを特徴とする。【選択図】  図１
2006255342.tif 000002
【特許請求の範囲】
【請求項１】
フライパンの底部板に丸型、四角型、ハート型等各種形状の凹部を設けた目玉焼き用フライパン。
【請求項２】
一度に１〜４個の目玉焼きが焼ける請求項１記載の目玉焼き用フライパン。
【請求項３】
１個のフライパンに色々の形状の凹部を設けて色々の形状の目玉焼きも焼ける請求項１〜２記載の目玉焼き用フライパン。
【発明の詳細な説明】
【技術分野】
【０００１】  本発明は、業務用、家庭用として使用する目玉焼き用フライパンに関するものである。
【背景技術】
【０００２】  従来は、丸型又は四角型の形状の小さいフライパンで目玉焼を焼いており、目玉焼き専用のフライパンは無く、１個ずつ目玉焼きを焼いている。又特殊なものとして、例えば
【特許文献】特開２００２−１５９４０５号公報がある。
【発明の開示】
【発明が解決しようとする課題】
【０００３】  それには次のような問題点があった。
（イ）従来、目玉焼きはフライパンで１個１個焼いていた。
（ロ）目玉焼きを１〜４個同時に焼けるフライパンは無かった。
（ハ）目玉焼きを１〜４個同じ大きさに焼けるフライパンは無かった。
（ニ）目玉焼きを最高４個焼けるため、時間の節約と燃料の節約が出来るフライパンは無かった。
（ホ）業務用でも目玉焼きが４個焼ける物は無い。
本発明は、以上の問題点を解決するためのものである。
【問題を解決するための手段】
【０００４】  従来の丸型、四角型のフライパン（１）の底部に丸型、四角型、楕円型、長方型、三角型等の形状のプレス型を製作し、プレス機を以って丸型凹部（２）等各種形状にプレス成形する。各種形状にプレス成形された中に玉子を割っていれ、目玉焼きを焼く。フライパンは焦げをぼうしするためにテフロン加工する、以上を特徴とする目玉焼き用フライパンである。
【発明の効果】
【０００５】以上のように、本発明のフライパンは丸型、四角型等各種形状の目玉焼きを同時に４個まで、同じ形状で焼くことができる事、又急いでいる時など短時間で焼け、時間の節約と燃料の節約にもなり極めて効果が期待できる。
【発明を実施するための最良の形態】
【０００６】  以下、本発明の実施の形態を説明する。
（イ）プレス機で成形されたテフロン加工をしたフライパン（１）を設け。
（ロ）フライパンの底部板に丸型凹部、又は四角型（２）等のプレス型でプレス成形して各種形状の目玉焼きの底部に凹部を設ける。
（ハ）１〜４個の目玉焼きの型ができ、同時に４個まで目玉焼きを短時間で焼くことができる。
本発明は、以上のような構成よりなっている。
これを使用するときは、テフロン加工した目玉焼きフライパンをガス、電気等の熱源の上にのせ、玉子を割って、フライパンの丸型又は四角型の凹部に入れ、１〜４個同時に焼く事が出来る。同時に時間の節約、燃料の節約にもなる。
【図面の簡単な説明】
【０００７】
【図１】  本発明の正面図
【図２】  本発明の平面図
【図３】  本発明の断面図
【符号の説明】
【０００３】  １  フライパン本体
２  丸型、四角型等の凹部
【図１】
2006255342.tif 000003
【図２】
2006255342.tif 000004
【図３】
2006255342.tif 000005